(57)【特許請求の範囲】
【請求項１】
略円筒形の固定子鉄心と、
前記固定子鉄心の少なくとも一方の開口端に設けられ、巻線が巻き付けられる巻胴部を備えた略円筒状のインシュレータと、
前記インシュレータの開口端に固定されたインシュレータカバーと、を備えるとともに、
前記インシュレータカバーの熱膨張率が、前記インシュレータの熱膨張率よりも高いことを特徴とする電動機の固定子。
【請求項２】
請求項１において、
前記インシュレータおよび前記インシュレータカバーがスーパーエンジニアリングプラスチック製であることを特徴とする電動機の固定子。
【請求項３】
請求項１において、
前記インシュレータがスーパーエンジニアリングプラスチック製であり、
前記インシュレータカバーが汎用エンジニアリングプラスチック製であることを特徴とする電動機の固定子。
【請求項４】
請求項１において、
前記インシュレータの開口端が前記インシュレータカバーを固定する爪部を有しており、
前記インシュレータカバーは、前記爪部を固定する爪固定部を有していることを特徴とする電動機の固定子。
【請求項５】
請求項１から請求項３のいずれか一項において、
Ｒ３２冷媒を使用している空調機器の圧縮機に用いられていることを特徴とする電動機の固定子。
【請求項６】
略円筒形の固定子鉄心と、
前記固定子鉄心の少なくとも一方の開口端に設けられ、巻線が巻き付けられる巻胴部を備えた略円筒状のインシュレータと、
前記インシュレータの開口端に固定されたインシュレータカバーと、を備えるとともに、
前記インシュレータカバーの熱膨張率が、前記インシュレータの熱膨張率よりも高い固定子と、
前記固定子の内側または外側で回転する回転子と、
を備えたことを特徴とする電動機。
【請求項７】
略円筒形の固定子鉄心と、
前記固定子鉄心の少なくとも一方の開口端に設けられ、巻線が巻き付けられる巻胴部を備えた略円筒状のインシュレータと、
前記インシュレータの開口端に固定されたインシュレータカバーと、を備えるとともに、
前記インシュレータカバーの熱膨張率が、前記インシュレータの熱膨張率よりも高い固定子と、
前記固定子の内側または外側で回転する回転子と、
を備えた電動機を有することを特徴とする空調機器。
【発明の詳細な説明】
【技術分野】
【０００１】
本発明は、電動機の固定子、電動機および空調機器に関する。
【背景技術】
【０００２】
種々の用途に動力として用いられる多極、多相の電動機におけるコイルの巻線方式として集中巻き方式が知られている。集中巻き方式とは、ステータ（固定子）の巻線について、インシュレータと呼ばれる絶縁物を介して固定子のティース（巻胴部）に巻き付ける方式のことである。集中巻き方式の電動機に関する発明が、例えば、特許文献１に提案されている。
【０００３】
図９から図１１に示すように、この特許文献１には、密閉型圧縮機の冷媒としてＨＦＣが封入され、電動機の固定子鉄心１０１のスロットには一体成形されたボビン１０８を備え、前記固定子鉄心１０１の歯には、前記ボビン１０８を介して集中巻きによる巻線１０２が施され、前記集中巻きによる巻線１０２や口出線１０５および接続点１０６等が散乱しないための散乱防止用絶縁カバー１０９を備え、前記散乱防止用絶縁カバー１０９には、前記冷媒と冷凍機油のミスト状の混合油が流通する風穴１１０と口出線１０５を固定するための固定方法を有しており、前記ボビン１０８と散乱防止用絶縁カバー１０９の材料がスーパーエンプラ（スーパーエンジニアリングプラスチック）であることを特徴とする電動機の固定子が提案されている。なお、前記した固定方法として、図１１に示すように、散乱防止用絶縁カバー１０９には、口出線１０５を引き出し、固定するための凹字状の切欠き溝１２３が設けられている。
【０００４】
特許文献１では、このような構成の電動機の固定子において、接続点１０６や巻線１０２などの散乱を防ぐため、図９に示すように、ボビン１０８または散乱防止用絶縁カバー１０９の少なくとも一方に掛かり止めできる爪１１２を設ける旨が説明されている。
具体的には、図９には、ボビン１０８は外径側樹脂壁（外壁）１１３と内径側樹脂壁（内壁）１１４を有しており、この外壁１１３と内壁１１４の間に巻線１０２が巻き付けられていることが図示されている。そして、外壁１１３の上端に爪１１２を設けるとともに、散乱防止用絶縁カバー１０９にも爪１１２を設けており、これらを掛かり合わせることとしている。
【先行技術文献】
【特許文献】
【０００５】
【特許文献１】特開２００２−４４８９６号公報
【発明の概要】
【発明が解決しようとする課題】
【０００６】
特許文献１で提案されている発明では、前記したように、外壁１１３の爪１１２と散乱防止用絶縁カバー１０９の爪１１２を掛かり合わせることにより、ボビン１０８は散乱防止用絶縁カバー１０９によって強固に固定されている。
しかしながら、特許文献１で提案されている発明では前記したように、ボビン１０８と散乱防止用絶縁カバー１０９の材料としていずれもスーパーエンプラを用いている。スーパーエンプラは、巻線１０２として使用される銅（Ｃｕ）、Ｃｕ合金、アルミニウム（Ａｌ）、Ａｌ合金などと比較して熱膨張率が低いという特徴がある。そのため、電動機を運転している際に電動機が高温になると、ボビン１０８および散乱防止用絶縁カバー１０９はあまり熱膨張しないのに対し、巻線１０２は大きく熱膨張することになる。巻線１０２は、ボビン１０８の外壁１１３および内壁１１４の間に巻かれているので、熱膨張するとボビン１０８の内側からボビン１０８の外壁１１３および内壁１１４を押し広げるように、外側に向かう押圧力が作用する。
【０００７】
前記したように、特許文献１に記載されているボビン１０８は、散乱防止用絶縁カバー１０９によって強固に固定されており、構成上、ボビン１０８の外壁１１３は外側に撓むことができない。従って、巻線１０２が熱膨張することによって発生した押圧力は、ボビン１０８の内壁１１４に強く作用し、その根元部分１１４ｅに過大な応力が発生する。その結果、根元部分１１４ｅが塑性変形等する可能性があり、電動機として信頼性が低下することが懸念される。
【０００８】
なお、ボビンはインシュレータボビンやインシュレータなどと呼称されることが多く、散乱防止用絶縁カバーはインシュレータカバーなどと呼称されることが多い。従って、本発明については、ボビンを「インシュレータ」と呼称し、散乱防止用絶縁カバーを「インシュレータカバー」と呼称する。
【０００９】
本発明は前記状況に鑑みてなされたものであり、電動機が高温となり巻線が熱膨張した場合であっても、インシュレータの内壁の根元部分に発生する応力を緩和することのできる電動機の固定子、電動機および空調機器を提供することを課題とする。
【課題を解決するための手段】
【００１０】
本発明に係る電動機の固定子は、略円筒形の固定子鉄心と、前記固定子鉄心の少なくとも一方の開口端に設けられ、巻線が巻き付けられる巻胴部を備えた略円筒状のインシュレータと、前記インシュレータの開口端に固定されたインシュレータカバーと、を備えるとともに、前記インシュレータカバーの熱膨張率が、前記インシュレータの熱膨張率よりも高い構成とした。
【００１１】
本発明に係る電動機は、略円筒形の固定子鉄心と、前記固定子鉄心の少なくとも一方の開口端に設けられ、巻線が巻き付けられる巻胴部を備えた略円筒状のインシュレータと、前記インシュレータの開口端に固定されたインシュレータカバーと、を備えるとともに、前記インシュレータカバーの熱膨張率が、前記インシュレータの熱膨張率よりも高い固定子と、前記固定子の内側または外側で回転する回転子と、を備える構成とした。
【００１２】
本発明に係る空調機器は、略円筒形の固定子鉄心と、前記固定子鉄心の少なくとも一方の開口端に設けられ、巻線が巻き付けられる巻胴部を備えた略円筒状のインシュレータと、前記インシュレータの開口端に固定されたインシュレータカバーと、を備えるとともに、前記インシュレータカバーの熱膨張率が、前記インシュレータの熱膨張率よりも高い固定子と、前記固定子の内側または外側で回転する回転子と、を備えた電動機を有する構成とした。
【発明の効果】
【００１３】
本発明に係る電動機の固定子、電動機および空調機器は、電動機が高温となり巻線が熱膨張した場合であっても、インシュレータの内壁の根元部分に発生する応力を緩和することができる。
【図面の簡単な説明】
【００１４】
【図１】本発明の一実施形態に係る電動機の固定子の斜視図である。
【図２】本発明の一実施形態に係る電動機の固定子の平面図であり、インシュレータの巻胴部に巻線を巻いている途中の状態を示している。
【図３】巻線方式の一例を示す模式図である。
【図４】巻胴部に巻線が巻かれた固定子の平面図である。
【図５Ａ】インシュレータおよびインシュレータカバーの一態様を示す断面図である。
【図５Ｂ】インシュレータおよびインシュレータカバーの他の態様を示す断面図である。
【図６Ａ】インシュレータカバーの熱膨張率Ｔｃとインシュレータの熱膨張率ＴｇをＴｃ＞Ｔｇとしたときにおけるインシュレータの挙動を示している。
【図６Ｂ】インシュレータカバーの熱膨張率Ｔｃとインシュレータの熱膨張率ＴｇをＴｃ≦Ｔｇとしたときにおけるインシュレータの挙動を示している。
【図７Ａ】本発明に係る電動機の一例を示す分解斜視図である。
【図７Ｂ】本発明に係る電動機の他の一例を示す分解斜視図である。
【図８】本発明に係る空調機器の一例を示す一部切欠き図である。
【図９】従来例に係る巻線が巻かれたボビンの要部断面図である。
【図１０】従来例に係る電動機の固定子について、散乱防止用絶縁カバーを外した様子を示す平面図である。
【図１１】従来例に係る電動機の固定子の拡大斜視図である。
【発明を実施するための形態】
【００１５】
以下、適宜図面を参照して、本発明に係る電動機の固定子（以下、単に「固定子」という）、電動機および空調機器について詳細に説明する。
【００１６】
［固定子］
（固定子の構成）
はじめに、固定子の構成について説明する。図１は、本発明の一実施形態に係る固定子１０の斜視図である。
図１に示すように、本発明に係る固定子１０は、略円筒形の固定子鉄心１と、略円筒状のインシュレータ２と、インシュレータカバー３と、を備えている。
本発明において、インシュレータ２は、固定子鉄心１の少なくとも一方の開口端１ａに設けられ、巻線４が巻き付けられる巻胴部２ｃ（図２参照）を備えている。なお、図１は、固定子鉄心１のもう一方の開口端１ｂにもインシュレータ２が設置されている様子を示している。
インシュレータカバー３は、インシュレータ２の開口端２ｆに固定されている。
【００１７】
ここで、図２は、本発明の一実施形態に係る電動機の固定子１０の平面図であり、巻胴部２ｃに巻線４を巻いている途中の状態を示している。
ここで、図２は、巻線４を９ヶ所の巻胴部２ｃに分けて集中的に巻く、いわゆる９スロット集中巻電動機に用いられる固定子を例示している。この場合、図３に示すように、巻線４は、特性上、Ｕ相、Ｖ相、Ｗ相と呼称される３つの相に分けられ、その相の巻線４の一端を結びつける点１２は中性点（以下、中性点１２という）と呼称されている。なお、図３は、巻線方式の一例を示す模式図である。
【００１８】
つまり、図３に示すように、巻線４は、９ヶ所に分かれたスロット１ｄについて、Ｕ相３ヶ所、Ｖ相３ヶ所、Ｗ相３ヶ所がそれぞれ並列に巻かれ、中性点１２が３ヶ所生じる構造としている。中性点１２と反対側の端末（口出線６（図４参照））は、電源入力部へと接続される。
【００１９】
図２に戻って説明を続ける。図２に示すように、隣り合う巻胴部２ｃと巻胴部２ｃの間はスロット１ｄと呼称されており、スロット１ｄの形状に沿うようにスロット絶縁紙７が設置されている。固定子鉄心１およびインシュレータ２は、巻線４を巻胴部２ｃに巻き付ける巻線装置の一部であるコイルノズル８を通過させるためのコイルノズル通路９を備えている。
【００２０】
コイルノズル８は巻線４をガイドしながらコイルノズル通路９を通過しつつ、固定子鉄心１の開口端１ａ、１ｂ（図１参照）に設置されているインシュレータ２の巻胴部２ｃおよびスロット絶縁紙７の周りを周回し、巻線４を供給し続ける。これにより、巻胴部２ｃおよびスロット絶縁紙７上に巻線４を幾重にも巻き付けることができる。巻線４の巻始め端末と巻終り端末のうち一方は口出線６（図４参照）として電源入力部に接続され、他方は各相の接続点５となる。
９つすべての巻胴部２ｃに巻線４を巻き終わり、Ｕ相３ヶ所、Ｖ相３ヶ所、Ｗ相３ヶ所がそれぞれ形成されると、図２および図４に示すように、スロット１ｄ内は若干の隙間が形成される。当該隙間には相間絶縁紙２３が挿入され、絶縁性が確保される。
【００２１】
ここで、図５Ａは、インシュレータ２およびインシュレータカバー３の一態様を示す断面図である。図５Ａに示すように、インシュレータ２は、巻胴部２ｃよりも内径側に巻線４の巻き付け高さ以上となる内壁２ａを有しており、巻胴部２ｃよりも外径側に巻線４の巻き付け高さ以上となる外壁２ｂを有している。これにより、インシュレータ２は、巻胴部２ｃに巻き付けられた巻線４の巻き崩れを防止している。
【００２２】
巻線４を巻胴部２ｃに巻く際は緩みを防止するため、ある程度のテンションをかけている。そのため、インシュレータ２の巻胴部２ｃはもちろんのこと、インシュレータ２の内壁２ａおよび外壁２ｂ（いずれも図２および図５参照）に対し、それぞれこれらを内側から外側に押し広げるような、外側に向かう押圧力が作用する。
【００２３】
図４に示すように、巻胴部２ｃに巻き付けられた巻線４は、その一方の端末を外部の電源入力部と接続するため、口出線保護チューブ４１内に挿通され、巻線４の絶縁性を確保している。そして、図４および図５Ａに示すように、口出線保護チューブ４１内に挿通された巻線４は、巻線４とインシュレータカバー３とで挟まれた空間を周方向に配置され、口出線まとめ部４２から、電源入力部側へ引き出される。一方、巻線４の他方の端末は、前記したように中性点１２を構成する。
【００２４】
なお、本発明においては、図４および図５Ａに示すように、インシュレータ２の開口端２ｆ、具体的には外壁２ｂの外周に、インシュレータカバー３を固定する爪部２ｄを有している。また、インシュレータカバー３は、図５Ａに示すように、爪部２ｄを固定する爪固定部３１を有している。爪固定部３１としては、図５Ａに示すように、爪部２ｄを貫通させて係合する貫通穴３１ａとすることができるがこれに限定されるものではない。例えば、図５Ｂに示すような態様とすることもできる。なお、図５Ｂは、インシュレータ２およびインシュレータカバー３の他の態様を示す断面図である。つまり、爪部２ｄと係合可能な爪状の凸部３１ｂとすることもできる。貫通穴３１ａおよび凸部３１ｂのいずれによっても、インシュレータ２の爪部２ｄと係合させることにより、インシュレータカバー３を簡単且つ強固に固定することができる。
【００２５】
（インシュレータカバーの熱膨張率とインシュレータの熱膨張率）
次に、インシュレータカバー３の熱膨張率Ｔｃとインシュレータ２の熱膨張率Ｔｇについて説明する。
これらの熱膨張率Ｔｃ、Ｔｇについて説明する前に、一般的な固定子に用いられる巻線、インシュレータおよびインシュレータカバーの熱膨張率について説明する。一般的な固定子に用いられる巻線はＣｕ製のものが多い。巻線がＣｕ製の場合、その熱膨張率は１．７×１０-5ｍ／℃となる。また、一般的な固定子に用いられるインシュレータおよびインシュレータカバーは材料強度および絶縁性を考慮してスーパーエンジニアリングプラスチック（スーパーエンプラ）製のものが多い。インシュレータおよびインシュレータカバーがスーパーエンプラ製の場合、スーパーエンプラの種類によっても異なるが、その熱膨張率は例えば０．５×１０-5ｍ／℃などとなる。
【００２６】
従って、一般的な固定子を用いた電動機の場合、実運転時に高温になると固定子の各部材が熱膨張するが、巻線と、インシュレータおよびインシュレータカバーとの関係をみると、インシュレータおよびインシュレータカバーの熱膨張率よりも巻線の熱膨張率が大きくなる。つまり、巻線の方が熱膨張し易い。
【００２７】
本発明では、前記した構成に係る固定子１０において、インシュレータカバー３の熱膨張率Ｔｃが、インシュレータ２の熱膨張率Ｔｇよりも高く（Ｔｃ＞Ｔｇ）している。本発明ではこのようにすることによって、電動機が高温となった場合にインシュレータカバー３をインシュレータ２よりも熱膨張し易くしている。つまり、電動機が高温になると、図６Ａに示すように、外壁２ｂの変位量Ｘｇよりもインシュレータカバー３の変位量Ｘｃが大きくなる（Ｘｃ＞Ｘｇ）。そのため、インシュレータカバー３の爪固定部３１が外壁２ｂよりも大きく熱膨張し、外壁２ｂの貫通穴３１ａとの間に空隙３２を生じさせることができる。従って、巻線４が熱膨張した場合であっても、生じた空隙３２の分だけ外壁２ｂをより外側（インシュレータ２の外側方向）に撓ませる（変形させる）ことができる。その結果、巻線４が熱膨張することによって発生した押圧力Ｆｎ１は内壁２ａと外壁２ｂに分散し、根元部分２ｅに作用する応力を低減させることができるため、塑性変形等を防止することが可能となる。従って、電動機としての信頼性を向上させることができる。なお、インシュレータカバー３の熱膨張率Ｔｃとインシュレータ２の熱膨張率Ｔｇの差は、０．１×１０-5ｍ／℃あれば本発明の効果を奏することができる。
【００２８】
これに対し、図６Ｂに示すように、インシュレータカバー３の熱膨張率Ｔｃがインシュレータ２の熱膨張率Ｔｇと同じかまたは低い（Ｔｃ≦Ｔｇ）と、インシュレータカバー３の変位量Ｘｃと外壁２ｂの変位量ＸｇはＸｃ≦Ｔｇとなる。インシュレータ２は爪部２ｄがインシュレータカバー３の貫通穴３１ａに固定されているので、電動機が高温になって巻線４が大きく熱膨張してもインシュレータ２の外壁２ｂは外側（インシュレータ２の外側方向）に撓ませることができない。そのため、熱膨張によって生じた押圧力Ｆｎ２はインシュレータカバー３に固定されていない内壁２ａに作用することになる。従って、インシュレータ２の内壁２ａが外側（インシュレータ２の内側方向）に向けて撓み、根元部分２ｅに作用する応力が大きくなるため、塑性変形等するおそれがある。なお、図６Ａに示す押圧力Ｆｎ１は、巻胴部２ｃ、内壁２ａおよび外壁２ｂに分散するため、図６Ｂに示す押圧力Ｆｎ２とは、Ｆｎ２＞Ｆｎ１という関係になる。
【００２９】
（インシュレータカバーとインシュレータの一変形例）
インシュレータカバー３とインシュレータ２は、熱膨張率が前記した関係（Ｔｃ＞Ｔｇ）となっていれば本発明の効果を奏することができる。よって、インシュレータカバー３とインシュレータ２は、前記した関係（Ｔｃ＞Ｔｇ）となっている限り、それぞれどのような材料で形成されていてもよい。例えば、インシュレータカバー３およびインシュレータ２をそれぞれスーパーエンプラ製とすることができる。このようにすると、用いる材料が適切であるので、電動機が高温となり巻線４が熱膨張した場合であっても、インシュレータ２の内壁２ａの根元部分２ｅに発生する応力を確実に緩和することができる。
【００３０】
なお、スーパーエンプラとしては、例えば、ポリエチレンナフタレート（ＰＥＮ）、ポリフェニレンサルファイド（ＰＰＳ）、液晶ポリマー樹脂（ＬＣＰ）、フッ素樹脂、ポリエーテルエーテルケトン（ＰＥＥＫ）、非晶ポリアリレート（ＰＡＲ）、ポリサルフォン（ＰＳＦ）、ポリエーテルサルフォン（ＰＥＳ）、ポリイミド（ＰＩ）などを用いることができる。
【００３１】
これらのスーパーエンプラは、同じ種類の樹脂であっても、製品グレード、架橋率、架橋剤の違いなどにより熱膨張率を変更したり、選択したりすることができる。従って、前記したものの中から適切な樹脂を選択し、さらに必要に応じて製品グレードなどを種々変更して熱膨張率が前記した関係（Ｔｃ＞Ｔｇ）となるようにすればよい。
【００３２】
（インシュレータカバーとインシュレータの他の変形例）
本発明においては、インシュレータカバー３とインシュレータ２について以下のように構成することもできる。すなわち、インシュレータ２をスーパーエンプラ製とし、インシュレータカバー３を汎用エンジニアリングプラスチック（汎用エンプラ）製とすることができる。この場合も、インシュレータカバー３とインシュレータ２の熱膨張率が前記した関係（Ｔｃ＞Ｔｇ）となっていれば本発明の効果を奏することができる。また、この態様の場合、インシュレータカバー３を汎用エンプラ製としているので、これをスーパーエンプラ製とした場合と比較して安価とすることができる。
【００３３】
スーパーエンプラは前記したものを用いることができる。
汎用エンプラとしては、例えば、ポリブチレンテレフタレート（ＰＢＴ）、ポリアセタール（ＰＯＭ）、ポリアミド（ＰＡ）、ポリカーボネート（ＰＣ）、変性ポリフェニレンエーテル（ｍ−ＰＰＥ）、ＧＦ強化ポリエチレンテレフタレート（ＧＦ−ＰＥＴ）、超高分子量ポリエチレン（ＵＨＰＥ）、シンジオタクチックポリスチレン（ＳＰＳ）などを用いることができる。
【００３４】
なお、汎用エンプラも前記したスーパーエンプラと同様に、同じ種類の樹脂であっても、製品グレード、架橋率、架橋剤の違いなどにより熱膨張率を変更したり、選択したりすることができる。従って、前記したものの中から適切な樹脂を選択し、さらに必要に応じて製品グレードなどを種々変更して熱膨張率が前記した関係（Ｔｃ＞Ｔｇ）となるようにすればよい。
【００３５】
（Ｒ３２冷媒を使用している空調機器）
以上に説明した本発明に係る固定子１０は、Ｒ３２冷媒を使用している空調機器の圧縮機に好適に用いることができる。なお、Ｒ３２冷媒は、特にＲ４１０Ａ冷媒と比較して、冷媒物性上、ガス温度が高くなる。そのため、電動機の温度も高くなり、各部材の熱膨張が大きくなりがちである。しかしながら、本発明に係る固定子１０を用いることにより、電動機が高温となり巻線が熱膨張した場合であっても、インシュレータ２の内壁２ａの根元部分２ｅに発生する応力を緩和することができる。よって、電動機としての信頼性を向上させることができる。
【００３６】
［電動機］
次に、本発明に係る電動機について説明する。
図７Ａは、本発明に係る電動機の一例を示す分解斜視図である。図７Ｂは、本発明に係る電動機の他の一例を示す分解斜視図である。
【００３７】
図７Ａに示すように、本発明の一例に係る電動機２０Ａは、前記した固定子１０と、回転子２１Ａと、第１のハウジング２２と、第２のハウジング２３と、を有している。
なお、固定子１０については既に説明しているので、ここでの説明は省略する。
【００３８】
回転子２１Ａは、略円筒状の固定子１０の内側に設けられ、磁束を発生させる永久磁石を備えている。回転子２１Ａは、固定子１０の内側において回転可能となるよう、第１のハウジング２２および第２のハウジング２３に設けられた軸受によって支持されている。
【００３９】
第１のハウジング２２および第２のハウジング２３はそれぞれ、金属（望ましくは非磁性の金属）で有底筒状に形成されている。第１のハウジング２２および第２のハウジング２３は、筒の内側に固定子１０および回転子２１Ａを設け、溶接やねじ、任意の嵌め込み構造などによって結合されている。
【００４０】
なお、固定子１０の内側に回転子２１Ａを有する電動機２０Ａは一般的にインナーロータ型電動機と呼称されている。この電動機２０Ａは、固定子１０を有しているので、実運転によって高温となり巻線４が熱膨張した場合であっても、インシュレータ２の内壁２ａの根元部分２ｅに発生する応力を緩和することができる。そのため、電動機としての信頼性を向上させることができる。また、このような構成の電動機２０Ａは、固定子１０の内側に回転子２１Ａを有しているので、応答性が良く、また、コイルが外側になるため放熱性が良いという特長を有する。
【００４１】
また、図７Ｂに示すように、本発明の他の一例に係る電動機２０Ｂは、前記した固定子１０と、回転子２１Ｂと、第１のハウジング２２と、第２のハウジング２３と、を有している。
なお、固定子１０、第１のハウジング２２および第２のハウジング２３は既に説明しているので、ここでの説明は省略し、回転子２１Ｂについて主に説明する。
【００４２】
回転子２１Ｂは、略円筒状の固定子１０の外側に設けられ、磁束を発生させる永久磁石を備えている。回転子２１Ｂは、固定子１０の外側において回転可能となるよう、第１のハウジング２２および第２のハウジング２３に設けられた軸受によって支持されている。
【００４３】
なお、固定子１０の外側に回転子２１Ｂを有する電動機２０Ｂは一般的にアウターロータ型電動機と呼称されている。この電動機２０Ｂは、固定子１０を有しているので、実運転によって高温となり巻線４が熱膨張した場合であっても、インシュレータ２の内壁２ａの根元部分２ｅに発生する応力を緩和することができる。そのため、電動機としての信頼性を向上させることができる。また、このような構成の電動機２０Ｂは、固定子１０の外側に回転子２１Ｂを有しているので、大きなトルクが得られ易く、また、一定回転の場合、回転が安定しているという特長を有する。
【００４４】
［空調機器］
次に、本発明に係る空調機器について説明する。
図８は、本発明に係る空調機器（具体的には室外機）の一例を示す一部切欠き図である。
図８に示すように、本発明に係る空調機器３０は、圧縮機２５を有している。そして、この圧縮機２５は、前記した電動機２０Ａまたは電動機２０Ｂを備えている。なお、電動機２０Ａおよび電動機２０Ｂは、前記した固定子１０を備えている。固定子１０については既に説明しているので、ここでの説明は省略する。
【００４５】
圧縮機２５は、冷房時および暖房時において、ガス状の冷媒を圧縮する機能を有する。なお、冷媒としては、例えば前記したＲ３２冷媒が挙げられる。
【００４６】
前記したように、空調機器３０は、固定子１０を備えた電動機２０Ａまたは電動機２０Ｂを有している。そのため、実運転によって電動機が高温となり巻線４が熱膨張した場合であっても、インシュレータ２の内壁２ａの根元部分２ｅに発生する応力を緩和することができる。そのため、電動機２０Ａ、２０Ｂひいては空調機器３０としての信頼性を向上させることができる。
【００４７】
以上、本発明の一実施形態に係る電動機の固定子、電動機および空調機器について詳細に説明したが、本発明の主旨はこれに限定されるものではなく、様々な変形例が含まれる。
【００４８】
また、前記した実施形態は本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００４９】
また、前記した各構成、機能、処理部、処理手段、制御手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
【００５０】
さらに、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５１】
１０    固定子
１      固定子鉄心
１ａ    開口端
２      インシュレータ
２ｃ    巻胴部
２ｆ    開口端
３      インシュレータカバー
４      巻線
Ｔｃ、Ｔｇ  熱膨張率
【図１】
0006523881.tif 000002
【図２】
0006523881.tif 000003
【図３】
0006523881.tif 000004
【図４】
0006523881.tif 000005
【図５Ａ】
0006523881.tif 000006
【図５Ｂ】
0006523881.tif 000007
【図６Ａ】
0006523881.tif 000008
【図６Ｂ】
0006523881.tif 000009
【図７Ａ】
0006523881.tif 000010
【図７Ｂ】
0006523881.tif 000011
【図８】
0006523881.tif 000012
【図９】
0006523881.tif 000013
【図１０】
0006523881.tif 000014
【図１１】
0006523881.tif 000015